(57)【要約】【課題】酸素富化燃焼炉により作り出される熱エネルギーを効率的に回収する方法およびシステムを提供すること。【解決手段】空気分離ユニットが空気を酸素富化ガスおよび酸素貧化ガスに分離する。燃料ガスおよび酸素富化ガスを、高温の煙道ガスが流れる熱交換器で予備加熱する。前記予備加熱された燃料および酸素富化ガスの燃焼は、高温の煙道ガスをもたらす。その高温の煙道ガスは、熱交換器で冷却され、廃熱ボイラーを通って流れる。廃熱ボイラーを通って流れる水および／または水蒸気は、冷却された煙道ガス由来のエネルギーを吸収し、それにより、過熱蒸気を作り出す。その過熱蒸気は電力を作り出すためにタービンを通って流れる。その電力は空気分離ユニットに伝達され、そのようにして、空気を分離するのに必要とされる空気分離ユニットの電力要求を減少させる。【選択図】    図１
2010276027.tif 000002
【特許請求の範囲】
【請求項１】
酸化剤ガスおよび燃料ガスを燃焼させ、それにより煙道ガスを作り出す酸素富化型燃焼炉により作り出される熱エネルギーを回収するシステムであって、
ａ）前記酸化剤ガスの供給源であって、前記酸化剤ガスが空気より大きい酸素含有量を有する供給源、
ｂ）前記酸化剤ガスと前記燃料ガスの少なくとも一方が加熱され、前記煙道ガスが冷却されるように、前記煙道ガスと前記酸化剤ガスおよび前記燃料ガスの少なくとも一方を受容するのに適合する少なくとも１つの熱交換システム、
ｃ）廃熱ボイラーであって、過熱蒸気を作り出すために、煙道ガスから該廃熱ボイラーを通って流れる供給水に熱を伝えるのに適合する廃熱ボイラー、
ｄ）タービンであって、該タービンを通る前記過熱蒸気を膨張させ、そこから機械力を作り出すためのタービンを備えるシステム。
【請求項２】
請求項１記載のシステムであって、
ａ）前記酸素の供給源が空気分離ユニットを備えるシステム。
【請求項３】
請求項１記載のシステムであって、
ａ）前記タービンと前記空気分離ユニットを動作可能に接続し、それにより前記機械力の少なくとも一部を前記空気分離ユニットに提供するシャフトをさらに備えるシステム。
【請求項４】
請求項３記載のシステムであって、
ａ）前記空気分離ユニットの電力要求量の少なくとも約５０％が前記シャフトを通して前記タービンにより提供される
システム。
【請求項５】
請求項１記載のシステムであって、
ａ）前記空気分離ユニットの電力要求量の少なくとも約６６％が前記シャフトを通して前記タービンにより提供されるシステム。
【請求項６】
請求項１記載のシステムであって、
ａ）前記空気分離ユニットの電力要求量の少なくとも約７９％が前記シャフトを通して前記タービンにより提供されるシステム。
【請求項７】
請求項１記載のシステムであって、
ａ）前記空気分離ユニットの電力要求量の少なくとも約８５％が前記シャフトを通して前記タービンにより提供される
システム。
【請求項８】
請求項１記載のシステムであって、
ａ）前記少なくとも１つの熱交換システムが、
ｉ）前記煙道ガスと前記酸化剤ガスを受容し、それにより前記酸化剤ガスを加熱し、前記煙道ガスを冷却するための第１の熱交換器であって、前記加熱された酸化剤ガスを炉に向けるための出口を含む第１の熱交換器、および
ｉｉ）前記煙道ガスと燃料ガスを受容し、それにより前記燃料ガスを加熱し、前記煙道ガスを冷却するための第２の熱交換器であって、前記加熱された燃料ガスを炉に向けるための出口を含む第２の熱交換器
を含むシステム。
【請求項９】
請求項８記載のシステムであって、
ａ）前記煙道ガスがまず前記熱交換器により冷却され、次いで、前記ボイラーによりさらに冷却され、且つ、
ｂ）前記ボイラーが、前記さらに冷却された煙道ガス由来の熱エネルギーが前記ボイラーで過熱蒸気に移されるように、水および／または水蒸気をボイラーに通じさせるシステム。
【請求項１０】
請求項１記載のシステムであって、
ａ）前記タービンから排出された水蒸気を凝縮させるための凝縮器、および
ｂ）前記コンデンサーで凝縮された水を加圧するためのポンプ
をさらに備えるシステム。
【請求項１１】
請求項８記載のシステムであって、
ａ）前記熱交換器は、前記熱交換器で加熱された前記燃料ガスおよび前記酸化剤ガスの温度が、前記熱交換器での前記酸化剤ガスと前記燃料ガスの加熱無しで操業されるときの請求項８記載のシステムと比較して、炉の減少した燃料要求と減少した酸化剤要求のそれぞれをもたらすような温度で耐久するのに適合するシステム。
【請求項１２】
請求項１記載のシステムであって、
ａ）前記少なくとも１つの熱交換システムが、７００℃の温度で実質的に純粋な酸素に暴露されるとき腐食に対して実質的に耐性を持つ材料を備えるシステム。
【請求項１３】
請求項１記載のシステムであって、
ａ）前記少なくとも１つの熱交換システムが、前記酸化剤ガスとの接触のための被覆を有する熱交換器を含み、
ｂ）前記被覆が、７００℃の温度の実質的に純粋な酸素に暴露されるとき腐食に実質的に耐性を持つシステム。
【請求項１４】
請求項１記載のシステムであって、
ａ）前記少なくとも１つの熱交換システムが第１のおよび第２の熱交換器を備え、
ｂ）前記煙道ガスと前記酸化剤ガスおよび前記燃料ガスの一方が同じ第１の方向で前記第１の熱交換器を通して流れ、そして
ｃ）前記煙道ガスと前記酸化剤ガスおよび前記燃料ガスの他方が同じ第２の方向で前記第２の熱交換器を通して流れるシステム。
【請求項１５】
請求項８記載のシステムであって、
ａ）前記熱交換システムおよび前記ボイラーが、前記煙道ガスが前記ボイラーを出て行くとき、約１５０℃から約４００℃の温度まで煙道ガスを冷却させるのに適合するシステム。
【請求項１６】
請求項１５記載のシステムであって、
ａ）前記熱交換システムおよび前記ボイラーが、前記煙道ガスが前記ボイラーを出て行くとき、約２００℃から約３００℃の温度まで前記煙道ガスを冷却させるのに適合するシステム。
【請求項１７】
請求項１記載のシステムであって、
ａ）前記少なくとも１つの熱交換システムが、
ｉ）煙道ガスの流れから中間熱伝導流体に熱を移動させるのに適合する第１の熱交換器、および
ｉｉ）前記中間熱伝導流体から前記酸化剤ガスの流れおよび前記燃料ガスの流れの少なくとも一方に熱を移動させるのに適合する第２の熱交換器を含むシステム。
【請求項１８】
請求項３記載のシステムであって、
ａ）前記空気分離ユニットの約３９％を超える電力要求量が、前記シャフトを通して前記タービンにより提供されるシステム。
【請求項１９】
請求項８記載のシステムであって、
ａ）前記熱交換器とボイラーが、前記ボイラーを出て行く前記煙道ガスの温度が約４００℃未満となるように適合し、
ｂ）前記ボイラーを出て行く前記煙道ガスの前記温度が、前記煙道ガスの前記温度未満の温度を有する別のガスによる前記煙道ガスの希釈なしに達成されるシステム。
【請求項２０】
酸素富化型燃焼炉のエネルギー効率を高める方法であって、
ａ）空気より大きい酸素含有量を有する酸化剤ガスと燃料ガスを提供する工程、
ｂ）前記酸化剤ガスと前記燃料ガスの少なくとも一方を、少なくとも１つの熱交換システムを通して流させ、それにより前記酸化剤と前記燃料ガスの少なくとも一方を加熱する工程、
ｃ）前記炉の中で前記加熱された酸化剤と燃料ガスを燃焼させ、それにより煙道ガスを提供する工程、
ｄ）前記煙道ガスを少なくとも一方の熱交換システムを通して流させ、それにより前記酸化剤と燃料ガスを加熱しながら前記煙道ガスを冷却する工程、
ｅ）供給水と前記煙道ガスを、前記煙道ガス由来の熱を供給水に移行させ、それにより過熱蒸気を作るように廃熱ボイラーを通して流させる工程、および
ｆ）過熱蒸気をタービンを通して膨張させ、それにより機械力を作り出す工程
を備える方法。
【請求項２１】
請求項２０記載の方法であって、
ａ）空気を提供する工程であって、前記酸化剤ガスの流れを提供する工程が、空気を空気分離ユニットにより前記酸化剤ガスと酸素貧化ガスに分離することにより達成され、その酸素貧化ガスが前記空気より少ない酸素含有量を有する工程をさらに備える方法。
【請求項２２】
請求項２０記載の方法であって、
ａ）機械的を前記空気分離ユニットに提供する工程
をさらに含む方法。
【請求項２３】
請求項２０記載の方法であって、
ａ）少なくとも一方の熱交換システムとして第１の熱交換器と第２の熱交換器を選択する工程、
ｂ）前記酸化剤ガスと燃料ガスの一方を前記第１の熱交換器を通して流させる工程、
ｃ）前記酸化剤ガスと燃料ガスの他方を前記第２の熱交換器を通して流させる工程、および
ｄ）前記煙道ガスを前記第１と第２の熱交換器を通して流させ、それにより前記酸化剤ガスと燃料ガスを加熱し、前記煙道ガスを冷却する工程
をさらに含む方法。
【請求項２４】
請求項２０記載の方法であって、
ａ）約２００℃から約８００℃の温度に、少なくとも一方の熱交換器で、前記酸化剤ガスと燃料ガスの少なくとも一方を加熱する工程
をさらに含む方法。
【請求項２５】
請求項２０記載の方法であって、
ａ）前記炉由来の前記煙道ガスの流れが、約１，２５０℃を超える温度を有する方法。
【請求項２６】
請求項２０記載の方法であって、
ａ）前記煙道ガスの流れが、前記廃熱ボイラーに入る前記煙道ガスの流れが約３００℃から約１５００℃の温度を有するように、少なくとも１つの熱交換システムにより冷却される方法。
【請求項２７】
請求項２３記載の方法であって、
ａ）前記熱交換器のそれぞれが７００℃の表面温度で酸素に暴露されても腐食に実質的に耐性を有する材料を備える方法。
【請求項２８】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約５０％を供給する工程をさらに含む方法。
【請求項２９】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求の少なくとも約６６％を供給する工程をさらに含む方法。
【請求項３０】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約７９％かつ約６７％までを供給する工程
をさらに含む方法。
【請求項３１】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約８５％を供給する工程をさらに含む方法。
【請求項３２】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの５０％を超える電力要求を供給する工程
をさらに含む方法。
【請求項３３】
請求項２３記載の方法であって、前記酸化剤ガスと前記燃料ガスの加熱が、請求項２７の方法が前記熱交換器で前記酸化剤ガスおよび前記燃料ガスを加熱することなく操業されるときと比較して、炉の燃料ガス要求量と酸化剤ガス要求量をそれぞれ減少させる方法。
【請求項３４】
請求項２０記載の方法であって、
ａ）前記ボイラーを出て行く前記煙道ガスの温度が約４００℃未満であり、かつ
ｂ）前記ボイラーを出て行く前記煙道ガスの前記温度が、前記煙道ガスの前記温度未満の温度を有する別のガスによる前記煙道ガスの希釈無しに達成される
方法。
【請求項３５】
酸化剤ガスと燃料ガスを燃焼させ、それにより高温の煙道ガスを作り出す、酸素富化型燃焼炉のエネルギー効率を高めるシステムであって、
ａ）酸化剤ガスの流れを提供するのに適合し、前記酸化剤ガスは空気より大きな酸素含有量を有し、前記酸化剤ガスの流れを提供するのに必要とされる電力要求量ｘを有する空気分離ユニット、
ｂ）高温の煙道ガスの流れと前記酸化剤ガスの流れおよび前記燃料ガスの流れの少なくとも一方を受容するのに適合し、それにより前記酸化剤ガスの流れおよび前記燃料ガスの流れの少なくとも一方を加熱し、かつ前記高温の煙道ガスの流れを冷却する、少なくとも１つの熱交換システム、
ｃ）前記煙道ガスの冷却された流れ由来の熱エネルギーを吸収し、過熱蒸気を作り出し、前記煙道ガスの冷却された流れをさらに冷却するのに適合する廃熱ボイラー、
ｄ）通過する過熱蒸気を膨張させ、それにより過熱蒸気から機械力を作り出すのに適したタービン、および
ｅ）前記タービンから前記空気分離ユニットに機械力を伝達するのに適したシャフトであって、前記空気分離ユニット、前記少なくとも１つの熱交換器、前記廃熱ボイラー、前記タービン、および前記シャフトが、前記機械的な力が前記電力要求量ｘの少なくとも約３９％を提供するのに適するシャフトを備えるシステム。
【請求項３６】
高温の煙道ガスを作り出すために、酸素富化ガスおよび燃料ガスを燃焼させる燃焼炉からエネルギーを回収するための方法であって、
ａ）酸素富化ガスが空気より大きな酸素含有量を有し、酸素貧化ガスが空気より小さい酸素含有量を有する、空気分離ユニットにより酸素富化ガスと酸素貧化ガスに空気の供給を分離する工程、
ｂ）燃料ガスを提供する工程、
ｃ）第１および第２の熱交換器を提供する工程、
ｄ）一方の前記燃料ガスと煙道ガスを第１の熱交換器を通して流れさせ、それにより加熱された燃料ガスと冷却された煙道ガスを提供する工程、
ｅ）他方の前記酸素富化ガスと冷却された煙道ガスを第２の熱交換器を通して流させ、それにより前記酸素富化ガスを加熱し、前記冷却された煙道ガスをさらに冷却し、前記さらに冷却された煙道ガスは、前記冷却された煙道ガスより低い温度を有する工程、
ｆ）加熱された酸素富化ガスと加熱された燃料ガスを燃焼炉の中で燃焼させ、それにより高温の煙道ガスを提供する工程、
ｇ）過熱蒸気を作り出すように、熱が前記さらに冷却された煙道ガスから吸収されるように前記さらに冷却された煙道ガスを廃熱ボイラーを通して流させる工程、
ｈ）前記過熱蒸気をタービンを通して膨張させ、それにより機械力を作り出す工程、および
ｊ）空気を分離するのに必要とされる、前記空気分離ユニットの電力要求量の５０％を超える量を減少させるために、前記機械力を前記空気分離ユニットに伝達させる工程
を含む方法。
【発明の詳細な説明】
【技術分野】
【０００１】
本発明は、酸素燃焼式燃焼炉に関する。特に、本発明は、酸素燃焼式燃焼炉の効率を高めるための方法およびシステムに関する。
【背景技術】
【０００２】
燃焼技術の当業者により探索されている１つの重要な到達点は、投下資本、エネルギー上の経費、燃料および酸化剤にかかる経費、および操業経費を減少させるようにして燃焼プロセスの効率を高めることである。そうすることの１つの方法は、炉の熱エネルギー回収を通してなされる。それが実施されるとき、炉を操作するのに必要とされるエネルギーおよび／または燃料の要求量は、しばしば減少させ得る。しかしながら、様々の熱エネルギー技術の多くは、それぞれの欠点を有する。欠点の１つは資金上の（財務的な）ものである。熱回収技術を実施するのに必要とされる資本と操作経費は、熱回収の経済的利益を超過してはならない。それらのもう１つの欠点は、安全性に関するものである。すなわち、技術は、過度の安全性上のリスクを作り出してはならない。それらのもう１つの欠点は、技術に関連している。設計、材料および制御は、理論上の概念を実践にもたらす上で適切でなければならない。
【０００３】
空気燃焼式燃焼炉では、炉のエネルギー効率を向上させるための１つのアプローチは、回収熱交換器（ｒｅｃｕｐｅｒａｔｏｒ）または蓄熱器を用いて燃焼用空気を予備加熱するために、煙道ガス由来の余分のエネルギーを用いることによる。回収熱交換器は、熱交換器中の燃焼用空気に煙道ガス由来の熱の一部を移行させ、一方、蓄熱器は、燃焼用空気の、後で行う予備加熱のためにセラミック材料または耐火材料中に煙道ガス由来の熱の一部を蓄積する。酸素燃焼式燃焼は、酸素製造に関わる、考えられるところの大きな資本投下と操作経費のために、多くの人により疑問視されてきた。上記技術は、いくつかの空気燃焼式燃焼炉では成功裏に用いられてきたけれども、それらは、極端に反応性の高温の酸素を操作する危険のために酸素富化燃焼炉に適用するには相対的により困難であり、それにより、酸素燃焼式燃焼の財政健全性についての疑問を大きくしている。
【０００４】
電気および／または水蒸気の製造による電力と熱のコージェネレーションは、炉に熱エネルギーをリサイクルする以外の用途のための熱エネルギーを回収するのに役に立つ別の技術である。このアプローチの不利益は、資本投下が比較的大きくなり、それにより、この熱回収手法により実現する経済的な利益を超過する傾向がしばしば存在することである。
【０００５】
もう１つのアプローチは、燃料改質としてもまた知られる熱化学的なエネルギー回収である。燃料改質では、最初の燃料より大きな熱含有量を有するＨ2 とＣＯの燃焼性混合物を発生させるために、反応器（改質器）の中で水蒸気または二酸化炭素、またはそれら２つの混合物と燃料を反応させることにより燃料の熱含有量が増加する。この吸熱改質反応は、高温（典型的には９００℃）で起こるので、改質反応のために必要とされるエネルギーを提供するために煙道ガスの高温を有益に利用することになる。しかしながら、このアプローチは、特有の欠点を有する。多くの炉では、その燃料消費は、燃料改質システムを設置するための大きな資本投下を容認させるほど十分に大きくはない。改質器の複雑さと高温のＨ2 とＣＯを操作することに関連する安全性上の拘束は、追加される欠点である。もしこの技術を酸素燃焼式燃焼炉に適用するならば、改質器の複雑さはさらに増幅されるであろう。というのは、煙道ガスから得られるエネルギーは、典型的には、燃料の全てを改質させるのに十分ではなく、それにより、煙道ガスの熱エネルギーに加えて、追加のエネルギー源が必要となるからである。
【０００６】
従来の空気燃焼式燃焼炉で用いられる熱回収方法はしばしば、方法と操作の困難性のために酸素燃焼式（酸素富化型）燃焼炉に容易に適用できない。例えば、酸素燃焼式燃焼由来の煙道ガスは、水分含量が極端に大きく（約６０％まで）、きわめて高い温度（１２００℃以上）にある。それはまた、高水準の微粒子、凝縮性の回分蒸気（batch vapor）、または凝縮した回分蒸気を含み得るものであり、それにより煙道ガスを非常に腐食性にする。
【０００７】
同時に、煙道ガスはまた、当該の環境上の規制に適合するために、汚染防除システムで処理されなければならない。静電的沈降装置またはバグハウスのような汚染防除システムは、約４００℃以下の温度でのみ操作され得るので、あらかじめそのガスを冷却する必要がある。
【０００８】
防除システムでの処理の前に高温の煙道ガスを冷却することは、周囲空気で高温の煙道ガスを希釈することによりなされ得る。しかしながら、空気による希釈は処理される煙道ガスの量を増加させ、それにより、冷却された煙道ガスを処理するために用いられる防除システムの資本投下と操作経費を増加させ、結果として、汚染防除装備システムの大きさと複雑さを増大させる。投下資本と操作のための支出もまた同様に大きくなる。
【０００９】
防除システムでの処理の前に高温の煙道ガスを冷却することは、そのガスを水でスプレーすることによりなされ得る。しかしながら、水のスプレーは、煙道ガスの露点を高め、それにより防除システムまたは排気ダクトの中での腐食性ガスの凝縮のリスクを増加させる。この技術が酸素燃焼式燃焼炉で実施されるならば、この問題は同様に増幅されるであろう。というのは、煙道ガスの水分含有量は、約６０体積％ほどの大きさとなり得るからである。
【００１０】
したがって、当業者は、熱回収を通して酸素富化燃焼システムの効率を増加させるための改善された方法およびシステムについての必要が存在することを認識するであろう。当業者はまた、様々の熱回収手法を統合するそのような改善された方法およびシステムについての必要が存在することも認識するであろう。当業者はさらに、酸素および／または燃料要求量が減少するそのような改善された方法およびシステムについての必要が存在することを認識するであろう。当業者はさらに、酸素製造のために必要とされる電力要求量を減少させうるそのような方法およびシステムについての必要が存在することを認識するであろう。当業者はさらに、煙道ガスに含まれる汚染物質を処理するために必要とされる汚染防除システムの大きさを減少させるそのような方法およびシステムについての必要が存在することを認識するであろう。当業者はさらに、熱エネルギーの安全な回収を可能とし得るそのような方法およびシステムについての必要が存在することを認識するであろう。当業者はさらに、資本投下と操業経費を減少させうるそのような方法およびシステムについての必要が存在することを認識するであろう。最後に、当業者は、それらの必要の全てを満足させる統合された方法およびシステムについての必要が存在することを認識するであろう。
【発明の概要】
【発明が解決しようとする課題】
【００１１】
それゆえ、本発明の第１の目的は、それらのおよび他の必要に合致するシステムおよび方法を提供することである。本発明の第２の目的は、酸素および／または燃料要求量を減少させ得るシステムおよび方法を提供することである。本発明の第３の目的は、酸素生産のために必要とされる電力要求量を減少させうるシステムおよび方法を提供することである。本発明の第４の目的は、煙道ガスに含まれる汚染物質を処理するために必要とされる汚染防除システムの大きさを縮小させ得るシステムおよび方法を提供することである。第５の目的は、熱エネルギーの安全な回収を可能とし得るシステムおよび方法を提供することである。本発明の第６の目的は、資本投下および操業経費を減少させ得るシステムおよび方法を提供することである。本発明の第７の目的は、それらの目的の全てを達成し得る統合されたシステムおよび統合された方法を提供することである。
【課題を解決するための手段】
【００１２】
したがって、酸化剤ガスと燃料ガスが燃焼し、それにより煙道ガスを作り出す
酸素富化燃焼炉により作り出される熱エネルギーを回収するためのシステムが提供される。そのシステムは、酸化剤ガス供給源、少なくとも１つの熱交換システム、廃熱ボイラー、およびタービンを備える。酸化剤ガスは、空気より大きな酸素含有量を有する。少なくとも１つの熱交換システムは、酸化剤ガスおよび燃料ガスの少なくとも一方が加熱され、煙道ガスが冷却されるように、煙道ガスならびに酸化剤ガスおよび燃料ガスの少なくとも一方を受容するのに適合している。廃熱ボイラーは、過熱蒸気を作り出すために、煙道ガスからボイラーを流れる供給水に熱を移動させるのに適合している。タービンを通る過熱蒸気の膨張は、機械力を生み出す。
【００１３】
酸素富化燃焼炉のエネルギー効率を高めるための方法が提供される。その方法は、以下の工程を含む。酸化剤ガスと燃料ガスを提供し、その場合酸化剤ガスは空気より大きな酸素含有量を有する。酸化剤ガスおよび燃料ガスの少なくとも一方を少なくとも１つの熱交換システムに流通させ、それにより酸化剤ガスおよび燃料ガスの少なくとも一方を加熱する。加熱された酸化剤と燃料ガスを炉の中で燃焼させ、それにより煙道ガスを提供する。煙道ガスを少なくとも１つの熱交換システムに流通させ、それにより酸化剤と燃料ガスが加熱されるとき煙道ガスが冷却される。供給水と煙道ガスは、煙道ガス由来の熱が供給水に移動し、それにより過熱蒸気を作り出すように廃熱ボイラーに流通させる。過熱蒸気は、タービンにより膨張させ、それにより機械力を生み出す。
【発明の効果】
【００１４】
この驚くべき結果は、本発明の熱回収スキームの構成部分のそれぞれが１つのシステムに統合されるとき大きく増幅される。煙道ガスの温度および、熱交換器、ＡＳＵのボイラー、蒸気タービン、静電沈降装置、スクラバーおよび関連設備の経費に基づいて、予想外にも、本発明者は、酸素注入型燃焼システムにおける本発明の実施のための資本投下が、２年未満で回収されることを発見した。さらに、本発明の熱回収スキームの実施は、その後、２０％を超えるほどシステムの操作経費を減少させ得る。したがって、同じシステムに統合される本発明のそれらの側面の結果として、酸素燃焼式燃焼は、空気燃焼式燃焼よりはるかに魅力的になる。
【００１５】
本発明は、上記態様に限定されず、変更され得るし、特許請求の範囲のいずれの全ての態様を包含し得ることが理解される。
【図面の簡単な説明】
【００１６】
【図１】図１は、少なくとも１つの熱交換器を含む本発明のシステムの第１の態様の模式図であり、図中では、煙道ガスの熱エネルギーは燃料および酸化剤ガスの少なくとも一方と熱交換し、次いで、廃熱ボイラー中で水および水蒸気と、という順に熱交換する。
【図２】図２は、酸化剤および燃料ガスという順に予備加熱するための２つの熱交換器を含む本発明のシステムの第２の態様の模式図である。
【図３】図３は、燃料と酸化剤ガスの順で予備加熱するための２つの熱交換器を含む本発明のシステムの第３の態様の模式図である。
【図４】図４は、少なくとも１つの熱交換器を含む本発明のシステムの第４の態様の模式図であり、図中、煙道ガスの熱エネルギーは、廃熱ボイラーの中の水および水蒸気と熱交換され、次いで、燃料および酸化剤ガスの少なくとも１つと、以上の順に熱交換する。
【図５】図５は、１つの熱交換器を含む本発明のシステムの第５の態様の模式図であり、図中、煙道ガスの熱エネルギーは、酸化剤ガスと熱交換され、次いで、廃熱ボイラー中で水および／または水蒸気と、以上の順に熱交換する。
【図６】図６は、１つの熱交換器を含む本発明のシステムの第６の態様の模式図であり、図中、煙道ガスの熱エネルギーは燃料ガスと熱交換され、次いで、廃熱ボイラーの中の水および／または水蒸気と、以上の順に熱交換する。
【図７】図７は、本発明のシステムの第７の態様の模式図であり、図中、酸素は、システムに遠隔的に（ｒｅｍｏｔｅｌｙ）供給され、蒸気タービンにより生み出される全ての機械的な力は、電力を生み出すための発電機に伝達される。
【発明を実施するための形態】
【００１７】
本発明のシステムは、酸化剤ガスと燃料ガスが燃焼し、それにより煙道ガスを作り出す統合された熱回収手法を通して工業的な炉の中での酸素富化燃焼の効率を高めるためのものである。そのシステムは、酸素富化ガスの供給源、少なくとも１つの熱交換器システム、廃熱ボイラーおよびタービンを備える。酸素富化ガスは、空気の酸素レベルより大きな酸素レベルを有する。熱交換器は、煙道ガスから熱エネルギーを吸収し、酸化剤ガスおよび燃料ガスの少なくとも一方に熱エネルギーを移す。廃熱ボイラーもまた、煙道ガスから熱エネルギーを吸収し、過熱蒸気を作り出すために供給水に熱エネルギーを移す。タービンは、過熱蒸気を、該タービンを通して膨張させることにより機械力を作り出す。
【００１８】
本発明の方法は、煙道ガスが作り出されるように酸化剤ガスと燃料ガスが燃焼する酸素富化燃焼炉の効率を高めるためのものである。その方法は、以下の工程を含む。酸化剤ガスと燃料ガスを提供し、その場合酸化剤ガスは、空気より大きな酸素含有量を有する。煙道ガス並びに酸化剤ガスと燃料ガスの少なくとも一方を、少なくとも１つの熱交換システムに流通させ、それにより、酸化剤と燃料ガスの少なくとも一方を加熱し、煙道ガスを冷却する。加熱された酸化剤ガスおよび燃料ガスを炉の中で燃焼させ、それにより煙道ガスを提供する。供給水と煙道ガスは、煙道ガス由来の熱が供給水に移り、それにより過熱蒸気を作り出すように廃熱ボイラーに流通させる。過熱蒸気は蒸気タービンを通って膨張し、それにより機械力を生み出す。
【００１９】
本発明は特に、ガラス溶融施設、特にフロートガラスプロセスに適用可能であるけれども、本発明は、そのような用途に限定されない。むしろ、本発明は一般的に、酸素の現場での生産がなされるかなされないかにかかわらず、いずれの酸素燃焼式燃焼工業炉にも適用可能であり、その場合、炉により発生する煙道ガスの温度は、十分な熱回収を可能とするのに十分に高い。
【００２０】
図１において最も良く示されているように、第１の好ましい態様は、空気の供給源がコンプレッサー２により圧縮され、空気分離ユニット（ＡＳＵ）１により空気の酸素レベルより大きな酸素レベルを有する酸化剤ガスの流れ３および空気の酸素レベルより小さな酸素レベルを有する酸素貧化ガスの流れ５に分離されるところの空気分離システム４を備える。ＡＳＵ１は、限定されないが、低温システム、膜システムまたは吸着ＰＳＡまたはＶＳＡ等の様々の空気分離システムを利用し得る。典型的には、選ばれる個々の空気分離プロセスに依存して、酸化剤ガス３は、少なくとも２１（体積）％の酸素および好ましくは少なくとも９０％の酸素を含む。
【００２１】
酸化剤ガスの流れ３および燃料ガスの流れ９は、熱交換システム１１に向けられる。燃料ガスの例には、限定されないが、天然ガス、他のガス状炭化水素、およびそれらの混合物が含まれる。熱交換システム１１では、酸化剤ガスおよび燃料ガスの流れ３、９のいずれか一方または両方が、炉１５を出て行く煙道ガスの流れ１３との熱交換により、熱交換器の安全な操作を可能とする温度まで予備加熱される。熱交換システム１１を出て、酸化剤と燃料の流れは、それらが燃焼する炉１５に向かう。酸化剤および燃料ガスの流れ３、９の少なくとも一方の予備加熱は、炉１５に導入される熱エネルギーの量を大きくする。結果として、煙道ガスとの熱交換を通しての予備加熱の欠如の下で達成され得るよりも少ない量の酸化剤ガスおよび燃料ガスが、炉１５へのエネルギー入力および装填物１７への熱入力を達成するように燃焼し得る。
【００２２】
図１に示されるように、酸化剤ガスの流れ３および／または燃料ガスの流れ９は、熱交換システム１１で予備加熱され、一方、熱交換システム１１に入る煙道ガスの流れ１３は、通常１，２００℃以上の温度から対応して冷却される。酸化剤ガスの流れ３および燃料ガスの流れ９は、約２００℃から約８００℃、より好ましくは約２００℃から約６００℃および最も好ましくは約４５０℃から約５５０℃の温度に加熱され得る。他方、煙道ガスの流れ１３は、典型的には、約５００℃から約１５００℃の温度、および好ましくは１０００℃を超える温度に冷却される。任意に、低温空気回路１６は、熱交換システム１１の上流で酸化剤ガスの流れ３および／または燃料ガスの流れ９に接続され得るものであり、非常用スイッチが酸化剤または燃料供給の遮断の場合に冷却空気を供給するように操作され得るものであり、したがって、熱交換システム１１の損傷および／または起こり得る故障を回避することができる。また、任意に、煙道ガス１３の流れの一部または全部は、迂回回路１４を介して熱交換システム１１の周りに選択的に方向転換され得るものであり、それにより、酸化剤の流れ３および／または燃料ガスの流れ９の予備加熱の相対的な程度を調節し、および／または熱交換システム１１の過熱を回避することができる。このことは、可変流量弁１８を調節することにより達成され、したがって、煙道ガスの流れ１３の多く、少なく、または皆無が熱交換システム１１を迂回することを許容する。
【００２３】
熱交換システム１１の下流では、酸化剤ガスの流れ３および燃料ガスの流れ９は、炉１５に注入され、炉では、それらの流れが高温燃焼生成物を発生させるように燃焼される。ガラス溶融施設の場合には、高温燃焼生成物は、炉１５に導入される装填物１７の溶融または再加熱のための熱を提供する。高温燃焼生成物は、煙道ガスの流れ１３を提供するために、炉から排出される。煙道ガスの流れ１３の温度は、極度に高くなり得る。本発明の実施において、煙道ガスの流れ１３の温度は、約１，２００℃より高く、または１，２１６℃より高くさえ、または約１，６００℃まで達し得る。
【００２４】
図１に示されるように、煙道ガスの流れ１３は、熱交換システム１１を通過し、熱交換システムでは、熱は、煙道ガスの流れから酸化剤ガスの流れ３および燃料ガスの流れ９に部分的に移動する。次いで、煙道ガスの流れ１３は、廃熱ボイラー１９を通って流れ、廃熱ボイラーでは、熱は、煙道ガスの流れから廃熱ボイラー１９を通って流れる供給水に部分的に移動し、それにより、加圧された過熱蒸気２１の流れを作り出す。次いで、過熱蒸気２１は、蒸気タービン２２を通って膨張し、機械力を作り出す。蒸気タービン２２により作り出される機械力は、シャフト２５を介してシャフト力を発生させ、および／または発電機２７を介して電力を発生させるかのいずれかのために用いられる。蒸気タービン２２により作り出される機械力および電力のいずれか一方または両方は、当該プロセスの他の部分のために、または他のプロセスのために力を供給するために用いられ得る。好ましくは、機械力は、コンプレッサー２を駆動するために用いられ、それにより、空気の分離を行う空気分離システム４のパワーの消費を減少させる。
【００２５】
水蒸気２１は、約１００ミリバールでタービン２２を出て行き、凝縮器２９で凝縮され、廃熱ボイラー１９に供給される前にポンプ３０で加圧される。ボイラーを出て行く煙道ガスの流れ１３の温度は、スタックに送られる前に、許容されるレベルで全ての放出を維持するために、バグハウスフィルター、ＥＳＰまたはスクラバーのような汚染防除システムの少なくとも１つを通過させるのに十分に低い。
【００２６】
本発明では、多くの異なる形態および順序が実施され得る。
【００２７】
例えば、図２において最も良く示されているように、最も好ましい態様は、酸化剤ガスの流れ３および燃料ガスの流れ９のそれぞれを予備加熱するための２つの熱交換システム３１および３３を含む。酸化剤ガスおよび燃料ガス３、９の流れの一方または両方を予備加熱するための熱交換の採用は、本発明の重要な側面である。予備加熱は、炉の酸化剤および燃料の消費を有意に減少させる。というのは、炉で必要とされるエネルギー入力の一部が、燃焼力の代わりに多量の熱の形態でもたらされるからである。この潜在的なエネルギー節約のために、炉にさらにより多量の熱をもたらすために、酸化剤ガスの流れ３および燃料ガスの流れ９の両方を予備加熱するのは特に有益である。例えば、選択されたレベルの装填処理量を達成するために、もし酸化剤ガスと燃料ガスを予備加熱するならば、予備加熱無しでの炉の操作と比較して１０％まで酸化剤ガスと燃料ガスの流量を安全に減少させることが可能である。この態様もまた、煙道ガスの流れ１３が、まず熱交換器３１を通過し、次に廃熱ボイラー１９を通過し、次に熱交換器３３を通過するように変更され得る。
【００２８】
図３において最も良く例示されているように、もう１つの好ましい態様もまた、２つの熱交換システム３１および３３を含む。この態様において、煙道ガスの流れ１３は、まず、燃料ガスの流れ９を予備加熱するために熱交換システム３１を通過し、次いで、酸化剤ガス３の流れを予備加熱するために熱交換システム３３を通過する。図２に描写されている態様と同様に、この態様もまた変更され得る。例えば、煙道ガスの流れ１３は、まず熱交換システム３１を通過させられ、次に廃熱ボイラー１９を通過させられ、次いで、熱交換システム３３を通過させられ得る。
【００２９】
図４において最も良く示されているように、もう１つの好ましい態様は、酸化剤ガスの流れ３および燃料ガスの流れ９の少なくとも１つを予備加熱するための少なくとも１つの熱交換システム３５を含む。この態様において、燃料ガスの流れ１３は、まず廃熱ボイラーを通過し、ついで、熱交換システム３５を通過する。酸化剤ガスの流れ３および燃料ガス９の流れのそれぞれについて１つの熱交換器を含む形態を選択するとき、廃熱ボイラー１９は、煙道ガスの流れ１３に関し、熱交換器の一方の下流で、他方の上流に位置し得る。
【００３０】
図５に最も良く例示されているように、もう１つの好ましい態様は、１つの熱交換システム３７のみを含む。図２に描写されている態様とは対照的に、この態様においては、酸化剤ガスの流れ３は予備加熱されるけれども、燃料ガスの流れ９は予備加熱されない。この態様は、煙道ガスの流れ１３がまず廃熱ボイラー１９を通過し、ついで、熱交換システム３７を通過するように変更され得る。
【００３１】
図６において最も良く示されているように、もう１つの好ましい態様は、１つの熱交換システム３９のみを含む。この態様においては、燃料ガスの流れ９は予備加熱されるけれども、酸化剤ガスの流れ３は予備加熱されない。この態様もまた、煙道ガスの流れ１３がまず廃熱ボイラー１９を通過し、次いで、熱交換システム３９を通過するように変更され得る。
【００３２】
図７において最も良く示されているように、もう１つの好ましい態様は、酸化剤ガスの流れ３を供給する酸化剤ガスの供給源４１を含む。酸化剤ガスの供給源４１は、遠隔の酸素生成システムからのパイプラインであり得る。この態様において、蒸気タービン２２により作り出される機械力の全ては、電力を作り出すためのシャフト２６を介して発電機２７に移される。その電力は、当該システムの他の部分または他のシステムで用いられ得る。
【００３３】
熱交換システム１１、３１、３３、３５、３７および３９は、１，５００℃までの温度で煙道ガスに暴露され得るので、熱交換システムは、好ましくは、約９５０℃までの表面温度に耐え得る材料で作られる。また、熱交換システム１１、３１、３３、３５、３７および３９は、７００℃の温度で実質的に純粋な酸素への暴露の下で実質的に腐食に耐える材料で作られることも好ましい。これは、約７００℃の温度を有する大気圧下の実質的に純粋な酸素への材料の暴露の際に８００ｎｍ／日を超えない厚さの減少または増大として定義される。この腐食耐性を測定するために適切な試験は以下の通りである。
【００３４】
試験された材料には、ＳＳ３０４、ＳＳ３１０、ＳＳ４４６、インコネル６００、インコネル６２５、インコロイ８００およびインコロイ８２５が含まれる。それぞれの材料について２本の管を得、それにより、管について第１の組と第２の組を準備した。それらの管のそれぞれは、２．１３ｃｍの外径、０．２８ｃｍの壁厚さおよび２．５４ｃｍの長さを有するものであった。 試料の内表面および外表面のそれぞれを、２４０−研磨紙により研削／研磨し、石鹸水により洗浄し、乾燥し、２種の溶剤（まずアセトンにより、次いで、加熱酸素供給のためにバートラーＭＣＡにより）で洗浄することにより調製した。
【００３５】
次いで、試料の第２と第３の組を、周囲の酸素温度と等価の７００℃の試料表面温度を達成するためにモニターされる炉の中に配置した。大気圧の酸素を、分あたり約０．２５〜０．５０リットルの速度で炉内に通じた。５００時間後、加熱された試料のそれぞれを炉から取り出し、計量した。次いで、試料の第３の組を、合せて１，０００時間にするためにさらに５００時間の暴露するための炉に戻し、それから再び計量した。試料の表面積とそれぞれの材料の密度に基づいて、５００時間と１，０００時間のそれぞれの時間間隔でｎｍ／日として厚さの減少（または増加）を重量の増加（または損失）から計算した。試験の結果を表１に示す。
【表１】
2010276027.tif 000003
【００３６】
表１に示されるように、７００℃の表面温度での腐食への実質的な耐性を示す材料の非限定的な例には、インコネル６００およびインコロイ８００が含まれる。それらの材料は、ほとんど剥離（ｓｐａｌｌｉａｔｉｏｎ）を示さなかった。それらの完全なオーステナイト構造、良好な不動態（ｐａｓｓｉｖａｔｉｏｎ）特性および広範な有用性は、それらを特にこの用途のために適合させる。インコネル６２５は、１，０００時間の暴露について良好な腐食抵抗を示す傾向があるけれども、それは少なくとも初期には、インコネル６００およびインコロイ８００と比較してあまりに大きく減少するように見える。
【００３７】
高温の酸素に直接暴露された熱交換器の表面については、被覆物の使用が、腐食現象を遅延させ、装置の寿命を延ばす上で有益であろう。アルミナイド／シリサイド被覆は、上記試験された合金の耐性を有意に補強するために用いられ得る。しかしながら、本発明は、それらの合金および／または被覆の使用に限定されない。特に、もし上記試験スキームでインコネル６００およびインコロイ８００により示された結果と同様の結果を示すならば、他の材料および被覆もまた適切であり得る。
【００３８】
熱交換システム１１、３１、３３、３５、３７および３９には、直接熱交換器または間接熱交換器が含まれ得る。
【００３９】
直接熱交換器は、好ましくは、並流形態で操作することを意図される。この形態では、煙道ガスおよび低温流体（酸化剤ガスまたは燃料ガス）は、熱移動表面の反対側に沿って同じ方向に流れる。低温流体は、実際には、金属のための冷却媒体として機能し、ホットスポットを最小化する働きをしながら、熱移動表面を通して煙道ガスから熱を吸収する。しかしながら、向流および交差流のような多くの異なる設計もまた本発明について用いられ得る。
【００４０】
間接熱交換器は、煙道ガスの流れ１３から低温流体（酸化剤または燃料）の流れに熱を伝えるために、空気のような中間熱伝達流体を利用する。特に好ましい間接熱交換器は、米国特許第６，０７１，１１６号および第６，２５０，９１６号に開示されており、その内容は、参照により本明細書に組み込まれる。
【００４１】
直接熱交換器についての１つの適切な設計には、管状かご型放射回収熱交換器が含まれ、その場合、１本の外側の管は、同軸的に別の内側の管を取り囲む。この設計の使用は、ほんの約０．０５バールの、酸化剤ガスの流れ３と関連する熱交換器を通る酸化剤ガスの流れ３の圧力降下をもたらす。熱交換器のためのもう１つの適切な設計には、外殻と管の設計が含まれる。
【００４２】
予想外にも、熱交換システム１１、３１、３３、３５、３７および３９について適切な材料と設計が選択されるとき、本発明者は、酸化剤ガスの流れ３および／または燃料ガスの流れ９は、約２００℃から約８００℃、より好ましくは約２００℃から約６００℃、および最も好ましくは約４５０℃から約５５０℃の温度に、安全に、かつ経費上有効に、加熱されうることを発見した。また、煙道ガスの流れ１３は、対応して、熱交換により約５００℃から約１５００℃の温度に冷却され得る。本発明者の知識に対して、高温の煙道ガスとの熱交換を通して炉の中の酸素富化ガスを予備加熱するための以前の試みは、安全上の不確実性かまたは経費の問題かのいずれかのためにいずれにせよ成功と判断し得る結論に導けなかった。
【００４３】
酸化剤ガスの流れ３および／または燃料ガスの流れ９との熱交換の後、煙道ガスの流れ１３は、それが廃熱ボイラー１９に入るとき、１，５００℃ほどの高さ、好ましくは１２００℃ないし１５００℃の温度をいまだ有し得る。この温度はあまりに高いので、ボイラー１９は、好ましくは、比較的高い温度に強力に耐久するように設計される。
【００４４】
１つのそのような設計は、対流式エコノマイザーセクション、対流式気化器セクションおよび、煙道ガスが管表面の一方の側を流れ、また、水、水蒸気および過熱蒸気が反対側を流れる過熱器セクションを含む。ポンプ３０由来の供給水は、エコノマイザーセクションで予備加熱され、対流式気化器セクションに供給される。好ましくは、供給水は、約３０バールの圧力で約１０５℃の温度を有し、ボイラー１９に供給され、一方、煙道ガスの流れ１３は、ボイラー１９に入る。
【００４５】
対流式気化器セクションでは、水は蒸気に変わり、蒸気ドラムにより水から分離される。得られた水蒸気は、過熱器セクションで、例えば２５０℃以上の過熱温度に加熱される。好ましくは、過熱蒸気は、約４３０℃の温度を有する。ボイラー１９の３つのセクションのそれぞれは、過剰な隙間の詰まりを防止するために露出管を利用する。微粒子の蓄積により詰まりが起こりやすいのであれば、空気吹込みスートブロワーもまた熱伝達表面の現場での洗浄を行うために含まれ得る。
【００４６】
上記廃熱ボイラー１９の設計はまた、その中に煙道ガスの再循環システムも含み、そうすることで、ボイラー１９の入口の下流の煙道ガスは、ボイラー１９の出口の上流由来の冷却された煙道ガスの一部により希釈され、冷却される。もし本発明がガラス溶融施設で実施されるならば、ボイラー１９の入口のすぐ下流での希釈の後、煙道ガスは、好ましくは、約５５０℃の温度に冷却される。このことは、対流式熱伝達セクションに入る前に全てのガラス微粒子が完全に固化することを保証する。煙道ガスの再循環システムは、ボイラー１９の出口のすぐ上流の再循環ファンおよびボイラー１９の入口のすぐ下流の混合室にリサイクルされた煙道ガスを導入するためのガス用管路からなる。
【００４７】
廃熱ボイラー１９のためのもう１つの適切な設計は、ドイツのハイエ−グラスから入手し得る。この設計において、煙道ガスの流れ１３は、ボイラー１９に入った後に希釈されない。また、このボイラーの熱伝達表面は、「ショット・クリーニング」を通して洗浄され、「ショット・クリーニング」では、微粒子の蓄積をゆすり落としてはがすためにボイラーの頂部から鉄球を降り落とさせる。加えて、本発明がガラス溶融施設で実施されるとき、この設計は、加熱表面上の、硫酸ナトリウムのような凝縮された煙道ガスの成分の、蓄積層を許容する。数日の操作の後、層の蓄積と「ショット・クリーニング」は、蓄積層がその厚さを維持する平衡状態を達成する。蓄積層の絶縁効果は、煙道ガスがボイラー１９の熱伝達表面上に凝縮することを防止する。
【００４８】
どのような設計が選択されるにせよ、煙道ガスの出口温度は、１５０℃ないし４００℃に維持されるべきであり、そうすることで、水蒸気の熱移動が最大化し、一方、腐食性の煙道ガスの凝縮を回避するために露点を超えて煙道ガスの温度を維持することになる。
【００４９】
適切な蒸気タービン２３は、エリオット・カンパニー、ドレッサー・ランド、またはマレーのような製造者から入手し得る。１つの形態において、蒸気タービン２２は、空気を酸化剤ガスの流れ３および酸素貧化ガスの流れ５に分離するのに必要とされる空気分離システム４（例えば、エアコンプレッサー２のシステム）の電力消費を減少させるために、シャフト２５を通して空気分離システム４の中のコンプレッサー２を駆動させるのに適している。もう１つの形態において、蒸気タービン２２は、代わりに、そのシステムの他の部分または他のシステムでの使用のために電力を発生させるための発電機２７に機械的な力を供給する。
【００５０】
本発明の、可変的でさらに、統合された性質は、燃料と電力の節約について非常に大きな柔軟性を可能とする。弁１８を調節することにより、迂回回路１４を通って流れる煙道ガスの量を変化させうるものであり、そのようにして、煙道ガスと酸化剤ガスおよび／または燃料ガスとの間の、ならびに煙道ガスと供給水との間のより大きいかより小さい熱移動を選択的に可能とする。この様式において、燃料の経費および／または電力の経費は最小化され得る。燃料の経費が電力の経費より重要であるときは、酸化剤ガスの流れ３および燃料ガスの流れ９は、５５０℃までの温度に予備加熱され、それにより、燃料および酸化剤の節約を最大化する（１０％まで）ように弁１８を作動させる。他方、電力経費がより重要であるときは、相対的に小さな熱移動が煙道ガスと酸化剤ガスおよび／または燃料ガスとの間に起こり、一方、相対的に大きな熱が廃熱ボイラー１９で回収されるように弁１８が調節される。
【００５１】
蒸気タービン２２を空気分離システム４に接続すると、酸化剤ガス３の流れと酸素貧化ガス５の流れへの空気の分離のために必要とされる空気分離システム４により要求される電力の目を見張る減少が達成され得る。意外にも、本発明者は、上記電力要求の１００％までが達成され得ることを見出した。好ましくは、少なくとも約５０％、より好ましくは少なくとも約６７％、さらにより好ましくは少なくとも約７９％、および最も好ましくは約８５％の電力減少が達成され得る。それらの驚くべき結果は、酸素注入型燃焼を実施するためのエネルギー経費は、酸素注入型燃焼を実施しない従来の空気注入型燃焼と比較して有意に減少することを示す。
【００５２】
６００トン／日のガラス溶融施設については、以下の、空気分離システムの電力減少の非限定的な例は、３．３７３ＭＷ（予備加熱なし）の空気分離システム電力消費を用いて計算された。
【００５３】
第１の事例において、酸化剤ガスの流れと燃料ガスの流れはともに、５５０℃に予備加熱され、煙道ガスは、１，５００℃から１，２００℃に冷却される。結果として、酸化剤ガスと燃料ガスのそれぞれの１０％が節約される（予備加熱無しと比較して）。２．０００ＭＷまでの電力が、空気分離システムにより必要とされる要求量３．０３６ＭＷ（３．３７３ＭＷ−１０％）を減少させるために供給され、それにより、６６％の減少をもたらす。
【００５４】
第２の事例においては、燃料ガスのみが５５０℃に予備加熱され、煙道ガスは、１，５００℃から１，３８０℃に冷却される。結果として、酸化剤ガスと燃料ガスのそれぞれの４．７％が節約される。２．５５０ＭＷまでの電力が、要求される３．２１４ＭＷ（３．３７３ＭＷ−４．７％）を減少させるために供給され、それにより７９％の電力減少をもたらす。
【００５５】
第３の事例においては、燃料ガスのみが１６０℃に予備加熱され、煙道ガスは、１，５００℃から１，４７５℃に冷却される。結果として、酸化剤ガスと燃料ガスのそれぞれの１％が節約される。２．８５０ＭＷまでの電力が、要求される３．３４０ＭＷ（３．３７３ＭＷ−１％）を減少させるために供給され、それにより８５％の電力減少をもたらす。
【００５６】
また、驚くべきことに、熱交換システム１１、３１、３３、３５、３７および３９ならびにボイラー１９を冷却した後、ボイラー１９から出て行く煙道ガスの流れ１３は、１５０℃または２００℃程度の温度を有し得る。そのような低温またはもう少し高温では、空気または水のような低温流体による希釈無しに汚染防除システム内で煙道ガスの流れ１３を処理することが可能となる。煙道ガスのはるかに少ない流量（従来の煙道ガスの希釈と比較して）のために、汚染防除システムの大きさは、はるかに小さくなる。例えば、煙道ガスの流量の減少に基づいて、汚染防除システムの大きさは、７５％ほどまで小さくなり、結果として、投下資本と操作経費の両方の観点で、はるかにより廉価となり得る。
【００５７】
ボイラー１９を出て行く煙道ガスの流れ１３の温度は、上記温度に限定されない。たとえば、ボイラー１９を出て行く煙道ガスの流れ１３の温度は、好ましくは、約２００℃から約４００℃である。より好ましくは、ボイラーを出て行く煙道ガスの流れ１３は、約２００℃から約３００℃の温度を有する。
【００５８】
おそらく、最も予想外のことではあるが、本発明は、酸素燃焼式燃焼の利用を、以前に考えられていたより、はるかにより経済的に有益にするようである。当該技術における共通の確信は、経費のかかるＮＯX 削減技術を必要とする空気燃焼式燃焼と比較して、酸素燃焼式燃焼は、ＡＳＵおよび関連する装備のための大きな資本上の支出とＡＳＵの電力要求に関連する比較的大きな操作経費を必要とするということである。この確信が、酸素燃焼式燃焼は経済的に妥当ではないという結論を下すように燃焼技術の当業者を導いてきた。しかしながら、本発明者は、この結論は誤りであることを示した。本発明の実施は、本発明の上記側面に欠ける酸素燃焼式燃焼システムと比較して１以上の利点（燃料ガスの１０％節約、酸化剤ガスの１０％節約、空気分離システムの電力要求量の減少（または別に用いられる電力供給の増加）および汚染防除システムのサイズの減少のような）をもたらすので、本発明は、比較的短い時間で償却するであろう。
【符号の説明】
【００５９】
１…空気分離ユニット、２…コンプレッサー、４…空気分離システム、１１，３１，３３，３７，３９…熱交換システム、１４…迂回回路、１５…炉、１６…冷却空気回路、１８…流量弁、１９…廃熱ボイラー、２１…過熱蒸気、２２，２３…蒸気タービン、２５，２６…シャフト、２７…発電機、２９…凝縮器、３０…ポンプ
【図１】
2010276027.tif 000004
【図２】
2010276027.tif 000005
【図３】
2010276027.tif 000006
【図４】
2010276027.tif 000007
【図５】
2010276027.tif 000008
【図６】
2010276027.tif 000009
【図７】
2010276027.tif 000010
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
酸化剤ガスおよび燃料ガスを燃焼させ、それにより煙道ガスを作り出す酸素富化型ガラス炉により作り出される熱エネルギーを回収するシステムであって、
ａ）前記酸化剤ガスの供給源であって、前記酸化剤ガスが空気より大きい酸素含有量を有する供給源、
ｂ）前記酸化剤ガスと前記燃料ガスの少なくとも一方が加熱され、前記煙道ガスが冷却されるように、前記煙道ガスと前記酸化剤ガスおよび前記燃料ガスの少なくとも一方を受容するのに適合する少なくとも１つの熱交換システム、
ｃ）廃熱ボイラーであって、過熱蒸気を作り出すために、煙道ガスから該廃熱ボイラーを通って流れる供給水に熱を伝えるのに適合する廃熱ボイラー、
ｄ）タービンであって、該タービンを通る前記過熱蒸気を膨張させ、そこから機械力を作り出すためのタービン
を備えるシステム。
【請求項２】
請求項１記載のシステムであって、
ａ）前記酸素の供給源が空気分離ユニットを備える
システム。
【請求項３】
請求項１記載のシステムであって、
ａ）前記タービンと前記空気分離ユニットを動作可能に接続し、それにより前記機械力の少なくとも一部を前記空気分離ユニットに提供するシャフト
をさらに備えるシステム。
【請求項４】
請求項３記載のシステムであって、
ａ）前記空気分離ユニットの電力要求量の少なくとも約５０％が前記シャフトを通して前記タービンにより提供される
システム。
【請求項５】
請求項１記載のシステムであって、
ａ）前記空気分離ユニットの電力要求量の少なくとも約６６％が前記シャフトを通して前記タービンにより提供される
システム。
【請求項６】
請求項１記載のシステムであって、
ａ）前記空気分離ユニットの電力要求量の少なくとも約７９％が前記シャフトを通して前記タービンにより提供される
システム。
【請求項７】
請求項１記載のシステムであって、
ａ）前記空気分離ユニットの電力要求量の少なくとも約８５％が前記シャフトを通して前記タービンにより提供される
システム。
【請求項８】
請求項１記載のシステムであって、
ａ）前記少なくとも１つの熱交換システムが、
ｉ）前記煙道ガスと前記酸化剤ガスを受容し、それにより前記酸化剤ガスを加熱し、前記煙道ガスを冷却するための第１の熱交換器であって、前記加熱された酸化剤ガスをガラス炉に向けるための出口を含む第１の熱交換器、および
ｉｉ）前記煙道ガスと燃料ガスを受容し、それにより前記燃料ガスを加熱し、前記煙道ガスを冷却するための第２の熱交換器であって、前記加熱された燃料ガスをガラス炉に向けるための出口を含む第２の熱交換器
を含むシステム。
【請求項９】
請求項８記載のシステムであって、
ａ）前記煙道ガスがまず前記熱交換器により冷却され、次いで、前記ボイラーによりさらに冷却され、且つ、
ｂ）前記ボイラーが、前記さらに冷却された煙道ガス由来の熱エネルギーが前記ボイラーで過熱蒸気に移されるように、水および／または水蒸気をボイラーに通じさせる
システム。
【請求項１０】
請求項１記載のシステムであって、
ａ）前記タービンから排出された水蒸気を凝縮させるための凝縮器、および
ｂ）前記コンデンサーで凝縮された水を加圧するためのポンプ
をさらに備えるシステム。
【請求項１１】
請求項８記載のシステムであって、
ａ）前記熱交換器は、前記熱交換器で加熱された前記燃料ガスおよび前記酸化剤ガスの温度が、前記熱交換器での前記酸化剤ガスと前記燃料ガスの加熱無しで操業されるときの請求項８記載のシステムと比較して、ガラス炉の減少した燃料要求と減少した酸化剤要求のそれぞれをもたらすような温度に耐久するのに適合するシステム。
【請求項１２】
請求項１記載のシステムであって、
ａ）前記少なくとも１つの熱交換システムが、７００℃の温度で実質的に純粋な酸素に暴露されるとき腐食に対して実質的に耐性を持つ材料を備える
システム。
【請求項１３】
請求項１記載のシステムであって、
ａ）前記少なくとも１つの熱交換システムが、前記酸化剤ガスとの接触のための被覆を有する熱交換器を含み、
ｂ）前記被覆が、７００℃の温度の実質的に純粋な酸素に暴露されるとき腐食に実質的に耐性を持つ
システム。
【請求項１４】
請求項１記載のシステムであって、
ａ）前記少なくとも１つの熱交換システムが第１のおよび第２の熱交換器を備え、
ｂ）前記煙道ガスと前記酸化剤ガスおよび前記燃料ガスの一方が同じ第１の方向で前記第１の熱交換器を通して流れ、そして
ｃ）前記煙道ガスと前記酸化剤ガスおよび前記燃料ガスの他方が同じ第２の方向で前記第２の熱交換器を通して流れる
システム。
【請求項１５】
請求項８記載のシステムであって、
ａ）前記熱交換システムおよび前記ボイラーが、前記煙道ガスが前記ボイラーを出て行くとき、約１５０℃から約４００℃の温度まで煙道ガスを冷却させるのに適合する
システム。
【請求項１６】
請求項１５記載のシステムであって、
ａ）前記熱交換システムおよび前記ボイラーが、前記煙道ガスが前記ボイラーを出て行くとき、約２００℃から約３００℃の温度まで前記煙道ガスを冷却させるのに適合する
システム。
【請求項１７】
請求項１記載のシステムであって、
ａ）前記少なくとも１つの熱交換システムが、
ｉ）煙道ガスの流れから中間熱伝導流体に熱を移動させるのに適合する第１の熱交換器、および
ｉｉ）前記中間熱伝導流体から前記酸化剤ガスの流れおよび前記燃料ガスの流れの少なくとも一方に熱を移動させるのに適合する第２の熱交換器
を含むシステム。
【請求項１８】
請求項３記載のシステムであって、
ａ）前記空気分離ユニットの約３９％を超える電力要求量が、前記シャフトを通して前記タービンにより提供される
システム。
【請求項１９】
請求項８記載のシステムであって、
ａ）前記熱交換器とボイラーが、前記ボイラーを出て行く前記煙道ガスの温度が約４００℃未満となるように適合し、
ｂ）前記ボイラーを出て行く前記煙道ガスの前記温度が、前記煙道ガスの前記温度未満の温度を有する別のガスによる前記煙道ガスの希釈なしに達成される
システム。
【請求項２０】
酸素富化型ガラス炉のエネルギー効率を高める方法であって、
ａ）空気より大きい酸素含有量を有する酸化剤ガスと燃料ガスを提供する工程、
ｂ）前記酸化剤ガスと前記燃料ガスの少なくとも一方を、少なくとも１つの熱交換システムを通して流させ、それにより前記酸化剤と前記燃料ガスの少なくとも一方を加熱する工程、
ｃ）前記ガラス炉の中で前記加熱された酸化剤と燃料ガスを燃焼させ、それにより煙道ガスを提供する工程、
ｄ）前記煙道ガスを少なくとも一方の熱交換システムを通して流させ、それにより前記酸化剤と燃料ガスを加熱しながら前記煙道ガスを冷却する工程、
ｅ）供給水と前記煙道ガスを、前記煙道ガス由来の熱を供給水に移行させ、それにより過熱蒸気を作るように廃熱ボイラーを通して流させる工程、および
ｆ）過熱蒸気を、タービンを通して膨張させ、それにより機械力を作り出す工程を備える方法。
【請求項２１】
請求項２０記載の方法であって、
ａ）空気を提供する工程であって、前記酸化剤ガスの流れを提供する工程が、空気を空気分離ユニットにより前記酸化剤ガスと酸素貧化ガスに分離することにより達成され、その酸素貧化ガスが前記空気より少ない酸素含有量を有する工程をさらに備える方法。
【請求項２２】
請求項２０記載の方法であって、
ａ）機械的を前記空気分離ユニットに提供する工程
をさらに含む方法。
【請求項２３】
請求項２０記載の方法であって、
ａ）少なくとも一方の熱交換システムとして第１の熱交換器と第２の熱交換器を選択する工程、
ｂ）前記酸化剤ガスと燃料ガスの一方を前記第１の熱交換器を通して流させる工程、
ｃ）前記酸化剤ガスと燃料ガスの他方を前記第２の熱交換器を通して流させる工程、および
ｄ）前記煙道ガスを前記第１と第２の熱交換器を通して流させ、それにより前記酸化剤ガスと燃料ガスを加熱し、前記煙道ガスを冷却する工程
をさらに含む方法。
【請求項２４】
請求項２０記載の方法であって、
ａ）約２００℃から約８００℃の温度に、少なくとも一方の熱交換器で、前記酸化剤ガスと燃料ガスの少なくとも一方を加熱する工程
をさらに含む方法。
【請求項２５】
請求項２０記載の方法であって、
ａ）前記ガラス炉由来の前記煙道ガスの流れが、約１，２５０℃を超える温度を有する
方法。
【請求項２６】
請求項２０記載の方法であって、
ａ）前記煙道ガスの流れが、前記廃熱ボイラーに入る前記煙道ガスの流れが約３００℃から約１５００℃の温度を有するように、少なくとも１つの熱交換システムにより冷却される方法。
【請求項２７】
請求項２３記載の方法であって、
ａ）前記熱交換器のそれぞれが７００℃の表面温度で酸素に暴露されても腐食に実質的に耐性を有する材料を備える
方法。
【請求項２８】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約５０％を供給する工程
をさらに含む方法。
【請求項２９】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求の少なくとも約６６％を供給する工程
をさらに含む方法。
【請求項３０】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約７９％かつ約６７％までを供給する工程
をさらに含む方法。
【請求項３１】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの電力要求量の少なくとも約８５％を供給する工程
をさらに含む方法。
【請求項３２】
請求項２１記載の方法であって、
ａ）シャフトにより前記タービンから前記空気分離ユニットに機械力を伝達し、それにより空気を前記酸化剤ガスと前記酸素貧化ガスに分離するために必要とされる前記空気分離ユニットの５０％を超える電力要求を供給する工程
をさらに含む方法。
【請求項３３】
請求項２３記載の方法であって、前記酸化剤ガスと前記燃料ガスの加熱が、請求項２７の方法が前記熱交換器で前記酸化剤ガスおよび前記燃料ガスを加熱することなく操業されるときと比較して、ガラス炉の燃料ガス要求量と酸化剤ガス要求量をそれぞれ減少させる
方法。
【請求項３４】
請求項２０記載の方法であって、
ａ）前記ボイラーを出て行く前記煙道ガスの温度が約４００℃未満であり、かつ
ｂ）前記ボイラーを出て行く前記煙道ガスの前記温度が、前記煙道ガスの前記温度未満の温度を有する別のガスによる前記煙道ガスの希釈無しに達成される
方法。
【請求項３５】
酸化剤ガスと燃料ガスを燃焼させ、それにより高温の煙道ガスを作り出す、酸素富化型ガラス炉のエネルギー効率を高めるシステムであって、
ａ）酸化剤ガスの流れを提供するのに適合し、前記酸化剤ガスは空気より大きな酸素含有量を有し、前記酸化剤ガスの流れを提供するのに必要とされる電力要求量ｘを有する空気分離ユニット、
ｂ）高温の煙道ガスの流れと前記酸化剤ガスの流れおよび前記燃料ガスの流れの少なくとも一方を受容するのに適合し、それにより前記酸化剤ガスの流れおよび前記燃料ガスの流れの少なくとも一方を加熱し、かつ前記高温の煙道ガスの流れを冷却する、少なくとも１つの熱交換システム、
ｃ）前記煙道ガスの冷却された流れ由来の熱エネルギーを吸収し、過熱蒸気を作り出し、前記煙道ガスの冷却された流れをさらに冷却するのに適合する廃熱ボイラー、
ｄ）通過する過熱蒸気を膨張させ、それにより過熱蒸気から機械力を作り出すのに適したタービン、および
ｅ）前記タービンから前記空気分離ユニットに機械力を伝達するのに適したシャフトであって、前記空気分離ユニット、前記少なくとも１つの熱交換器、前記廃熱ボイラー、前記タービン、および前記シャフトが、前記機械的な力が前記電力要求量ｘの少なくとも約３９％を提供するのに適するシャフト
を備えるシステム。
【請求項３６】
高温の煙道ガスを作り出すために、酸素富化ガスおよび燃料ガスを燃焼させるガラス炉からエネルギーを回収するための方法であって、
ａ）酸素富化ガスが空気より大きな酸素含有量を有し、酸素貧化ガスが空気より小さい酸素含有量を有する、空気分離ユニットにより酸素富化ガスと酸素貧化ガスに空気の供給を分離する工程、
ｂ）燃料ガスを提供する工程、
ｃ）第１および第２の熱交換器を提供する工程、
ｄ）一方の前記燃料ガスと煙道ガスを第１の熱交換器を通して流れさせ、それにより加熱された燃料ガスと冷却された煙道ガスを提供する工程、
ｅ）他方の前記酸素富化ガスと冷却された煙道ガスを第２の熱交換器を通して流させ、それにより前記酸素富化ガスを加熱し、前記冷却された煙道ガスをさらに冷却し、前記さらに冷却された煙道ガスは、前記冷却された煙道ガスより低い温度を有する工程、
ｆ）加熱された酸素富化ガスと加熱された燃料ガスをガラス炉の中で燃焼させ、それにより高温の煙道ガスを提供する工程、
ｇ）過熱蒸気を作り出すように、熱が前記さらに冷却された煙道ガスから吸収されるように前記さらに冷却された煙道ガスを廃熱ボイラーを通して流させる工程、
ｈ）前記過熱蒸気をタービンを通して膨張させ、それにより機械力を作り出す工程、および
ｊ）空気を分離するのに必要とされる、前記空気分離ユニットの電力要求量の５０％を超える量を減少させるために、前記機械力を前記空気分離ユニットに伝達させる工程
を含む方法。